(57)【要約】【課題】プラスチック袋の取り付け及び取り外しが容易で、排便時や排尿時にプラスチック袋が外れるおそれがなく、しかも構造が簡略で扱い易く、丈夫で安価な犬の糞尿受け具を提供する。【解決手段】碗状の受け部１１と受け部１１の縁に形成された柄２１を有し、受け部１１の底部１３に貫通孔１５を設けた。使用時には、犬の糞尿収容用プラスチック袋の底部を、受け部１１の底部１３の内側から貫通孔１５に挿入して受け部の底部１３の外側へ引き出すと共に、犬の糞尿収容用プラスチック袋３１を受け部１１の上端１４で反転させることにより受け部１１に取り付ける。犬の糞あるいは尿を犬の糞尿収容用プラスチック袋３１に収容後、犬の糞尿収容用プラスチック袋３１の反転部分を戻して上方へ持ち上げることにより、犬の糞尿収容用プラスチック袋３１を外す。【選択図】図２
2012034588.tif 000002
【特許請求の範囲】
【請求項１】
碗状の受け部と前記受け部の縁から外方へ突出して形成された柄とよりなり、前記受け部の内面に犬の糞尿収容用プラスチック袋が配置され、前記犬の糞尿収容用プラスチック袋の開口側を前記受け部の上端で前記受け部の外側へ反転させて使用される犬の糞尿受け具であって、
前記受け部の底部に貫通孔を有し、前記受け部の内面に配置される犬の糞尿収容用プラスチック袋の底部が、前記受け部の底部の内側から前記貫通孔に挿入されて前記受け部の底部の外側へ引き出されることにより固定可能になっていることを特徴とする犬の糞尿受け具。
【発明の詳細な説明】
【技術分野】
【０００１】
本発明は、犬の糞尿受け具に関する。
【背景技術】
【０００２】
従来、犬の糞受け具として、プラスチック袋を吊り下げ可能な環状（リング状）の袋取り付け部に柄を取り付けたものがある。このタイプの糞受け具にあっては、環状の部分にプラスチック袋を吊り下げて排便時の犬のお尻の下方に差し込み、犬の排便をプラスチック袋内に収容し、その後にプラスチック袋を環状の部分から外している。
【０００３】
しかしながら、プラスチック袋を吊り下げる従来の糞受け具にあっては、環状の部分にプラスチック袋の開口部を係止したり、排便後のプラスチック袋を環状の部分から外すのが面倒であった。しかも、犬の糞をプラスチック袋で受けた際に、糞の重みでプラスチック袋が環状の部分から外れてしまうおそれがある。
【０００４】
また、近年では犬の自由な排尿についても嫌われる傾向にあり、犬の尿についても持ち帰ることが望ましくなっている。特に雌犬の場合は、腰を落として排尿するため、プラスチック袋を吊り下げる従来の糞受け具で尿を受けることも可能である。しかし、従来の糞受け具を用いて犬の尿を受けた場合、糞の場合と同様にプラスチック袋が尿の重みで環状の部分から外れるおそれがあり、しかも尿が入ったプラスチック袋が環状の部分から外れた場合には、プラスチック袋から尿がこぼれて後始末に困ることになる。
【先行技術文献】
【特許文献】
【０００５】
【特許文献１】特開２００２−１０８号公報
【特許文献２】特開２０１０−１５４８２３号公報
【発明の概要】
【発明が解決しようとする課題】
【０００６】
本発明は前記の点に鑑みなされたものであって、プラスチック袋の取り付け及び取り外しが容易で、排便時や排尿時にプラスチック袋が外れるおそれがなく、しかも構造が簡略で扱い易く、丈夫で安価な犬の糞尿受け具の提供を目的とする。
【課題を解決するための手段】
【０００７】
本発明は、碗状の受け部と前記受け部の縁から外方へ突出して形成された柄とよりなり、前記受け部の内面に犬の糞尿収容用プラスチック袋が配置され、前記犬の糞尿収容用プラスチック袋の開口側を前記受け部の上端で前記受け部の外側へ反転させて使用される犬の糞尿受け具であって、前記受け部の底部に貫通孔を有し、前記受け部の内面に配置される犬の糞尿収容用プラスチック袋の底部が、前記受け部の底部の内側から前記貫通孔に挿入されて前記受け部の底部の外側へ引き出されることにより固定可能になっていることを特徴とする。
【発明の効果】
【０００８】
本発明の犬の糞尿受け具によれば、犬の糞尿収容用プラスチック袋の底部を受け部の底部の貫通孔に挿入して受け部の底部の外側へ所定量引き出すと共に、受け部の内面に犬の糞尿収容用プラスチック袋を広げて配置し、受け部の上端で犬の糞尿収容用プラスチック袋を受け部の外側へ反転させることにより、犬の糞尿収容用プラスチック袋を取り付けることができるため、簡単かつ迅速に犬の糞尿収容用プラスチック袋を取り付けることができる。しかも犬の糞尿収容用プラスチック袋の底部が受け部の底部の貫通孔に挿入されて受け部の底部の外側へ引き出されているため、受け部に対する犬の糞尿収容用プラスチック袋の固定が確実になる。
【０００９】
また、本発明の犬の糞尿受け具は、受け部に犬の糞尿収容用プラスチック袋を取り付けた後、受け部の部分を排便時あるいは排尿時（雌犬の場合のみ）の犬のお尻の下方に位置させて、犬の糞あるいは尿（雌犬の場合のみ）を受け部の犬の糞尿収容用プラスチック袋で受けることにより、犬の糞あるいは尿を犬の糞尿収容用プラスチック袋に直接収容することができる。その際、犬の糞尿収容用プラスチック袋は受け部の底部内面で支持されるため、犬の糞や尿の重みで受け部から外れるおそれがない。さらに、犬の糞尿収容プラスチック袋内に排泄された尿は、受け部の底部の貫通孔から受け部の底部の外部へ引き出されている犬の糞尿収容用プラスチック袋の底部に一部が流れて収容されるため、受け部の位置で大量に溜まることがなく、犬の糞尿収容用プラスチック袋を受け部から外す際に手が汚れにくい。
【００１０】
本発明の犬の糞尿受け具は、犬の排便あるいは排尿後に、受け部の外側へ反転している犬の糞尿収容用プラスチック袋の開口側を元の状態に戻して持ち上げることにより、受け部から犬の糞尿収容用プラスチック袋を外すことができ、簡単かつ迅速に、しかも手及び受け具を汚すことなく、犬の糞尿を処理することができ、衛生的でもある。
【００１１】
さらに、本発明の犬の糞尿受け具は、犬の糞尿収容用プラスチック袋を係止するための複雑な機構が不要であり、安価に製造でき、しかも機構的に壊れやすい部分がないため、耐久性にも優れる。
【図面の簡単な説明】
【００１２】
【図１】本発明の犬の糞尿受け具の一実施形態に係る側面図である。
【図２】同実施形態に係る犬の糞尿受け具の平面図である。
【図３】図２の３−３断面図である。
【図４】犬の糞尿収容用プラスチック袋取り付け状態を示す犬の糞尿受け具の側面図である。
【図５】犬の糞尿収容用プラスチック袋取り付け状態を示す犬の糞尿受け具の平面図である。
【図６】図５の６−６断面図である。
【発明を実施するための形態】
【００１３】
図１乃至図３に示す犬の糞尿受け具１０は、ポリプロピレン等のプラスチック製からなり、受け部１１と柄２１とからなる。
【００１４】
前記受け部１１は、碗状（カップ状とも称される）からなり、底部１３には中央部分に貫通孔１５が形成されている。前記貫通孔１５に後述する犬の糞尿収容用プラスチック袋３１の底部３５が受け部１１の内側から挿入されて受け部１１の底部１３の外側へ引き出されることによって、犬の糞尿収容用プラスチック袋３１を受け部１１に固定することができる。前記貫通孔１５の大きさは、前記受け部１１の底部１３よりも小とされ、前記受け部１１の底部１３における貫通孔１５の周囲の部分１６は犬の糞尿収容用プラスチック袋の支持部となる。前記受け部１１の寸法は、使用対象の犬が大型か小型か等によって異なるが、一例として、受け部１１の直径１２ｃｍ、貫通孔１５の直径３ｃｍの例を挙げる。また、本実施例では、前記受け部１１は、排便や排尿のために屈んだ犬の後方から犬のお尻の下方に受け部１１を差し込み易くすると共に、排泄された糞を受け部１１からはみ出すのを防ぐため、側壁１２の高さが柄２１とは反対の前側で低くされ、柄２１の設けられている後側で高くされている。一例として、前側の高さが３５ｍｍ、後側の高さが６５ｍｍの場合を挙げる。符号１４は受け部１１の上端であり、受け部１１の前側から後方側（柄２１が取り付けられている側）へ向けて上方へ傾斜している。
【００１５】
前記柄２１は、犬の糞尿受け具１０を使用する際に使用者が掴む取っ手部分である。前記柄２１は、本実施例では所定長の棒状からなり、前記受け部１１の側壁１２の外面に外方へ突出して設けられている。符号２３は、犬の糞尿受け具１０の不使用時に、例えば犬小屋付近の壁等に設けられているフックに犬の糞尿受け具１０を係止して保管するための孔である。また、前記柄２１は、犬の糞尿受け具１０を使用する際に、使用者が犬の後方側上方から前記受け部１１を犬のお尻の下方に差し込み易いように、受け部１１側から上向きに傾斜した状態で受け部１１に設けられている。また、前記柄２１の長さは適宜決定される。一例として３５ｃｍの場合を挙げる。
【００１６】
前記犬の糞尿受け具１０は、使用時に図４乃至図６に示すように、犬の糞尿収容用プラスチック袋３１の底部３５を、前記受け部１１の底部１３の貫通孔１５に前記受け部１１の内側から挿入して受け部１１の底部１３の外側へ所定量引き出すと共に、前記受け部１１の内面に犬の糞尿収容用プラスチック袋３１を広げて配置し、その後に前記受け部１１の上端１４で犬の糞尿収容用プラスチック袋３１を受け部１１の外側へ反転させることにより、犬の糞尿収容用プラスチック袋３１を取り付けることができる。前記犬の糞尿収容用プラスチック袋３１における符号３３は、犬の糞尿収容用プラスチック袋３１の開口側である。前記犬の糞尿収容用プラスチック袋３１は、前記受け部１１の内面に配置することができ、かつ前記開口側３３を受け部１１の上端１４で反転することができる大きさであればよく、レジ袋等適宜のものを使用することができる。前記寸法の受け部１１に取り付け可能な犬の糞尿収容用プラスチック袋３１の一例として、畳んだ状態の横×縦の寸法が、１８×２５ｃｍ程度のものを挙げる。なお、前記犬の糞尿収容用プラスチック袋３１は、レジ袋のように取っ手部分を有するものであってもよい。
【００１７】
前記犬の糞尿受け具１０は、犬の糞尿収容用プラスチック袋３１を取り付けた受け部１１の部分を、排便時あるいは排尿時（雌犬の場合のみ）の犬のお尻の下方に位置させることにより、犬の糞あるいは尿を犬の糞尿収容用プラスチック袋３１に直接収容することができる。その際、犬の糞尿収容用プラスチック袋３１は、前記受け部１１の底部１３の内面で支持されるため、犬の糞や尿の重みで受け部１１から外れるおそれがない。また、犬の糞尿収容プラスチック袋３１内に排泄された尿は、前記受け部１１の底部１３の貫通孔１５から受け部１１の底部１３の外部へ引き出されている犬の糞尿収容用プラスチック袋３１の底部３５に一部が流れて収容される。
【００１８】
犬の排便あるいは排尿後に、前記受け部１１の外側へ反転している犬の糞尿収容用プラスチック袋３１の開口３３側を元の状態に戻して持ち上げることにより、前記受け部１１から犬の糞尿収容用プラスチック袋３１を外すことができ、簡単かつ迅速に、しかも手及び受け部１１を汚すことなく、犬の糞尿を処理することができる。
【００１９】
このように本発明の犬の糞尿受け具は、プラスチック袋の取り付け及び取り外しが容易で、排便時や排尿時にプラスチック袋が外れるおそれがなく、しかも構造が簡略で扱い易く、丈夫で安価なものである。
【符号の説明】
【００２０】
１０  犬の糞尿受け具
１１  受け部
１３  受け部の底部
１５  貫通孔
２１  柄
３１  犬の糞尿収容用プラスチック袋
３５  犬の糞尿収容用プラスチック袋の底部
【図１】
2012034588.tif 000003
【図２】
2012034588.tif 000004
【図３】
2012034588.tif 000005
【図４】
2012034588.tif 000006
【図５】
2012034588.tif 000007
【図６】
2012034588.tif 000008